(57)【要約】【課題】フランジ部の一部に枕部を設けたものにおいて、枕部をフランジ部と一体に形成でき、また、平板状の蓋で簡単に上開口部を閉じたり、蓋を取外したりできる。【解決手段】槽体１の上開口部２の周囲にフランジ部３を備え且つ前記上開口部２を蓋４で遮蔽自在とした蓋４付き浴槽５である。前記上開口部２の周囲の前記フランジ部３の突出基部に断面略Ｌ状をした凹段部６を設ける。前記フランジ部３の一部に、枕部７を突設する。この枕部７の前記槽体１側の面である頭受け部８を前記凹段部６の縦壁部９の上端から連続して形成すると共に縦壁部９側に向けて下り傾斜する傾斜面とする。前記凹段部６に平板状の蓋４の外周端部を着脱自在に嵌め込む。【選択図】図１
2012005699.tif 000002
【特許請求の範囲】
【請求項１】
槽体１の上開口部の周囲にフランジ部を備え且つ前記上開口部を蓋で遮蔽自在とした蓋付き浴槽であって、前記上開口部の周囲の前記フランジ部の突出基部に断面略Ｌ状をした凹段部を設け、前記フランジ部の一部に枕部を突設し、この枕部の前記槽体側の面である頭受け部を前記凹段部の縦壁部の上端から連続して形成すると共に縦壁部側に向けて下り傾斜する傾斜面とし、前記凹段部に平板状の蓋の外周端部を着脱自在に嵌め込んで成ることを特徴とする蓋付浴槽。
【請求項２】
蓋の周囲に気密パッキンを設けて成ることを特徴とする請求項１記載の蓋付浴槽。
【請求項３】
蓋に槽体内の空気を抜くための空気抜きポンプを備えていることを特徴とする請求項１又は請求項２記載の蓋付浴槽。
【発明の詳細な説明】
【技術分野】
【０００１】
本発明は、蓋付浴槽に関するものである。
【背景技術】
【０００２】
従来から、槽体の上開口部の周囲にフランジ部を備え且つ上開口部を蓋で遮蔽自在とした蓋付き浴槽において、フランジ部の一部に枕部を設けたものが特許文献１により知られている。
【０００３】
ところがフランジ部の一部に枕部を設けると、平板状の蓋では枕部が邪魔になって、上開口部を遮蔽できない。
【０００４】
このため、図７に示すように、下面部の一部に下面段部２１を有する枕部７’をフランジ部３’上面に設け、下面段部２１とフランジ部３’の上面とに囲まれた部分に側方に開口した嵌め込み凹み２０を形成し、フランジ部３’に載置した平板状の蓋４’の端部を嵌め込み凹み２０に嵌め込むようにしている。
【０００５】
しかし、嵌め込み凹み２０は側方に開口しているため、この部分がアンダーカット部となるという理由で、下面段部２１を有する枕部７’を浴槽５’と一体することができない。
【０００６】
そこで、従来は、図７に示すように、下面段部２１を有する枕部７’を浴槽５’とは別に形成し、この別体の枕部７’を浴槽５’のフランジ部３’に接着することで、下面段部２１とフランジ部３’の上面とに囲まれた部分に側方に開口した嵌め込み凹み２０を形成するようにしている。
【０００７】
このように従来は、平板状の蓋４’で枕部７’部分の気密を確保する構造とするには、枕部７’を浴槽５’と一体に形成できず、浴槽５’と別体に形成した枕部７’をフランジ部３’に接着する必要があり、生産性が悪く、枕部７’のフランジ部３’への接着部分の外観が悪く、商品価値が低下する。
【０００８】
また、上記従来例にあっては、蓋４’を図７の矢印のように移動して、側方から嵌め込み凹み２０に嵌め込んだり、あるいは、側方に抜き取ったりする必要があり、蓋４’の取付け、取り外し作業が面倒である。
【０００９】
なお、上開口部の周囲のフランジ部の突出基部に断面略Ｌ状をした凹段部を設け、この凹段部に平板状の蓋の外周端部を着脱自在に嵌め込むものが特許文献２により知られているが、この従来例にあっては、フランジ部に枕部が設けてない。
【先行技術文献】
【特許文献】
【００１０】
【特許文献１】実開昭６２−１８２６８９号公報
【特許文献２】特開２００９−０２８２６６号公報
【発明の概要】
【発明が解決しようとする課題】
【００１１】
本発明は上記の従来例の問題点に鑑みて発明したものであって、フランジ部の一部に枕部を設けたものにおいて、枕部をフランジ部と一体に形成でき、また、平板状の蓋で簡単に上開口部を閉じたり、蓋を取外したりできる蓋付浴槽を提供するにある。
【課題を解決するための手段】
【００１２】
本発明の蓋付浴槽は、槽体の上開口部の周囲にフランジ部を備え且つ前記上開口部を蓋で遮蔽自在とした蓋付き浴槽であって、前記上開口部の周囲の前記フランジ部の突出基部に断面略Ｌ状をした凹段部を設け、前記フランジ部の一部に枕部を突設し、この枕部の前記槽体側の面である頭受け部を前記凹段部の縦壁部の上端から連続して形成すると共に縦壁部側に向けて下り傾斜する傾斜面とし、前記凹段部に平板状の蓋の外周端部を着脱自在に嵌め込んで成ることを特徴とするものである。
【００１３】
また、蓋の周囲に気密パッキンを設けることが好ましい。
【００１４】
また、蓋に槽体内の空気を抜くための空気抜きポンプを備えていることが好ましい。
【発明の効果】
【００１５】
本発明は、枕部の槽体側の面である頭受け部を凹段部の縦壁部の上端から連続して形成すると共に縦壁部側に向けて下り傾斜する傾斜面とするので、凹段部がアンダーカット部とならず、枕部をフランジ部と一体に形成できる。また、枕部に邪魔されることなく、平板状の蓋の凹段部への嵌め込み、取り外しができる。
【図面の簡単な説明】
【００１６】
【図１】本発明の斜視図である。
【図２】同上の図１のＸ−Ｘ線の拡大断面図である。
【図３】同上の分解斜視図である。
【図４】同上の図３のＹ−Ｙ線の拡大断面図である。
【図５】本発明の他の実施形態の要部拡大断面図である。
【図６】本発明の更に他の実施形態の要部拡大断面図である。
【図７】従来例の要部拡大断面図である。
【発明を実施するための形態】
【００１７】
以下、本発明を添付図面に示す実施形態に基づいて説明する。
【００１８】
槽体１の上開口部２の周囲にフランジ部３を一体に突出して浴槽５を構成している。
【００１９】
浴槽５は平面視略長方形状をしていて、浴槽５の両短辺のうち一方の短辺側のフランジ部３の一部に上方に向けて山型断面形状をした枕部７を突設している。
【００２０】
槽体１の上開口部２の周囲のフランジ部３の突出基部には、図３、図４に示すようにフランジ部３の突出基部を一周するように凹段部６を設けている。凹段部６は縦壁部９と載置面部１２とよりなる断面略Ｌ状に形成してあって、上方及びフランジ部３の突出方向と反対方向の側方（槽体１側）に開口している。
【００２１】
フランジ部３は、上方に突出した枕部７を除いてフラットとなっていてもよいが、枕部７を除いた部分が起伏したものであってもよい。いずれの場合も、槽体１の上開口部２の周囲のフランジ部３の突出基部に設けた凹段部６の載置面部１２は後述の平板状をした蓋４の端部を載置して嵌め込むことができるように、フランジ部３の形状に関係なく水平面となっている。
【００２２】
枕部７の槽体１側の面は、槽体１に入浴した人の頭部を受けるための頭受け部８となっている。この頭受け部８は凹段部６の縦壁部９の上端から連続して形成してあると共に縦壁部９側に向けて下り傾斜する傾斜面となっている。
【００２３】
このように、枕部７の頭受け部８を凹段部６の縦壁部９の上端から連続して形成すると共に縦壁部９側に向けて下り傾斜する傾斜面としているので、凹段部６がアンダーカット部とならず、枕部７をフランジ部３と一体に形成できる。したがって、実施形態においては、槽体１、フランジ部３、凹段部６、枕部７を有する浴槽５は全体を一体成形で形成してある。
【００２４】
なお、凹段部６の載置面部１２の先端が頭受け部８の傾斜の延長線Ｌを越えてフランジ部３の突出方向と反対方向に突出すると、頭受け部８に人の頭部を当てて支持させる際に、載置面部１２の先端に頭部が強く当たり、頭部受け部８への頭部の快適な支持の妨げとなる。
【００２５】
そこで、図４のように、凹段部６の載置面部１２の先端である槽体１側の端部は、傾斜面となった頭受け部８の傾斜の延長線Ｌを越えてフランジ部３の突出方向と反対方向に突出しないようにするのが好ましい。
【００２６】
これにより、頭部受け部８に頭部を支持させた状態で、頭部が凹段部６の載置面部１２の先端に強く当たることがなく、頭部受け部８への頭部の支持が阻害されることなく、快適に頭部の支持が可能になる。
【００２７】
浴槽５の槽体１の上開口部２を遮蔽自在とする蓋４は平板状に形成してあり、その大きさ及び外周形状は外周端部を凹段部６に着脱自在に嵌め込むことができるような大きさ及び外周形状に形成してある。
【００２８】
添付図面に示す実施形態において、蓋４は複数の分割蓋４ａに分割してあり、各分割蓋４ａは平板状をしている。各分割蓋４ａの周囲には気密パッキン１０を設けている。もちろん、蓋４は、上記のように複数に分割したもののみに限定されず、一枚ものの蓋４であってもよい。
【００２９】
上記の蓋４は、図１、図２に示すように、槽体１の上開口部２の周囲に一体に突出したフランジ部３の突出基部を一周するように形成した凹段部６に嵌め込み載置することで、上開口部２を閉塞する。
【００３０】
ここで、枕部７の頭受け部８を凹段部６の縦壁部９の上端から連続して形成すると共に縦壁部９側に向けて下り傾斜する傾斜面となっているので、蓋４を凹段部６に嵌め込み載置するに当たり、枕部７に邪魔されず蓋４の凹段部６への嵌め込み、取り外しができる。
【００３１】
特に、蓋４を凹段部６に設置する際に、蓋４がフランジ部３から上方に突出した枕部７の頭部受け部８に当たっても、頭部受け部８が傾斜しているため、傾斜面をガイドとしてスムーズに蓋４を凹段部６に嵌め込むことができ、嵌め込み作業が容易となる。
【００３２】
また、凹段部６の水平となった載置面部１２に蓋４の外端部を載置するので、フランジ部３が枕部７を含めて起伏したものであっても、平板状の蓋４で上開口部２を隙間無く閉塞することができる。また、平板状の蓋４を設置するので、設置向きの間違いもなく、納まった状態もすっきりと見える。更に、平板状の蓋４は掃除性、収納性が良い。
【００３３】
更に、凹段部６に嵌め込む蓋４の外周部に気密パッキン１０を設けることで、気密パッキン１０が凹段部６の載置面部１２に密接して気密を保つと共に、縦壁部９に密接して気密を保ち、従来のフランジ部３上に単に載置していた蓋４には確保しえなかった気密性を確保することができる。蓋４を凹段部６に嵌め込んだ際に、気密パッキン１０を縦壁部９に密接させるに当たり、縦壁部９の下部に密接し、縦壁部９の上部には密接しないようにすると、蓋４の取り外しがし易くなる。また、蓋４を凹段部６に嵌め込んだ状態で、蓋４の上端部が図５のようにフランジ部３の上面よりも上方に突出するようにしておくと、上方に突出した部分に指を掛けて簡単に蓋４を取り外すことができる。
【００３４】
図６には他の実施形態が示してあり、本実施形態では、蓋４に槽体１内の空気を抜くための空気抜きポンプ１１を備えている。
【００３５】
本実施形態においては、蓋４の外周端部を凹段部６に嵌め込んで槽体１の上開口部２を遮蔽した状態で、空気抜きポンプ１１により槽体１内の空気（槽体１内の湯面と蓋４との間の空間の空気）を抜くことで、湯面と蓋４間の空間内の対流を最小限に防ぐことができ、湯温低下や蒸気漏れを抑えることが可能となる。
【符号の説明】
【００３６】
１  槽体
２  上開口部
３  フランジ部
４  蓋
５  浴槽
６  凹段部
７  枕部
８  頭受け部
９  縦壁部
１０  気密パッキン
１１  空気抜きポンプ
【図１】
2012005699.tif 000003
【図２】
2012005699.tif 000004
【図３】
2012005699.tif 000005
【図４】
2012005699.tif 000006
【図５】
2012005699.tif 000007
【図６】
2012005699.tif 000008
【図７】
2012005699.tif 000009